(57)【要約】【課題】  分電盤内の配線構造を簡素化し、配線作業を容易にできるとともに誤配線も低減する。【解決手段】  併設される複数の分岐ブレーカと；前記分岐ブレーカを流れる負荷電流を検出するとともに、検出信号を出力する出力端子を有する複数のセンサと；前記分岐ブレーカに対向するように配置され、前記センサの出力端子から、前記検出信号が入力される入力部を前記分岐ブレーカの併設方向に複数有する接続ユニットと；前記接続ユニットから出力された前記検出信号に関する信号を入力可能に構成された計測装置と；を具備していることを特徴とする分電盤を提案する。【選択図】図２
2016082737.tif 000002
【特許請求の範囲】
【請求項１】
併設される複数の分岐ブレーカと；
前記分岐ブレーカを流れる負荷電流を検出するとともに、検出信号を出力する出力端子を有する複数のセンサと；
前記分岐ブレーカに対向するように配置され、前記センサの出力端子から、前記検出信号が入力される入力部を前記分岐ブレーカの併設方向に複数有する接続ユニットと；
前記接続ユニットから出力された前記検出信号に関する信号を入力可能に構成された計測装置と；
を具備していることを特徴とする分電盤。
【請求項２】
前記入力部は、前記分岐ブレーカの最大併設数と同数であること
を特徴とする請求項１に記載の分電盤。
【請求項３】
前記計測装置と、前記接続ユニットとを接続する接続線と；
前記接続線を覆う保護ケースと；
を具備していることを特徴とする請求項１または請求項２に記載の分電盤。
【発明の詳細な説明】
【技術分野】
【０００１】
本発明の実施形態は電力計測機能付きの分電盤に関する。
【背景技術】
【０００２】
従来、住宅用の分電盤においては、各分岐ブレーカに接続された負荷毎の電力使用量を電力計測ユニットで計測できるようにしたものがある。
【先行技術文献】
【特許文献】
【０００３】
【特許文献１】特開２０１４−０７９１１５号
【発明の概要】
【発明が解決しようとする課題】
【０００４】
しかしながら、分電盤に配置される分岐ブレーカの数と同数の電流センサのケーブルを１本ずつ電力計測ユニットに接続しなければならないため、分電盤内の配線が複雑化し、配線作業が煩雑になり、誤配線も発生しやすくなる問題がある。たとえば特許文献１では、電流センサから延出する複数のケーブルをケーブル束として纏められ、電力計測装置に接続される。
【課題を解決するための手段】
【０００５】
本発明にかかる実施形態の分電盤は、併設される複数の分岐ブレーカと；前記分岐ブレーカを流れる負荷電流を検出するとともに、検出信号を出力する出力端子を有する複数のセンサと；前記分岐ブレーカに対向するように配置され、前記センサの出力端子から、前記検出信号が入力される入力部を前記分岐ブレーカの併設方向に複数有する接続ユニットと；前記接続ユニットから出力された前記検出信号に関する信号を入力可能に構成された計測装置と；を具備していることを特徴とする。
【発明の効果】
【０００６】
本実施形態によれば、分電盤内の配線構造が簡素化され、配線作業を容易にできるとともに誤配線も低減できる。
【図面の簡単な説明】
【０００７】
【図１】実施形態にかかる分電盤の全体図
【図２】実施形態にかかる分電盤内器
【図３】実施形態にかかる分電盤内器の斜視図
【図４】実施形態にかかる接続ユニット
【発明を実施するための形態】
【０００８】
本発明にかかる実施形態の分電盤は、併設される複数の分岐ブレーカと；前記分岐ブレーカを流れる負荷電流を検出するとともに、検出信号を出力する出力端子を有する複数のセンサと；前記分岐ブレーカに対向するように配置され、前記センサの出力端子から、前記検出信号が入力される入力部を前記分岐ブレーカの併設方向に複数有する接続ユニットと；前記接続ユニットから出力された前記検出信号に関する信号を入力可能に構成された計測装置と；を具備していることを特徴とする。
【０００９】
以下、本発明の実施の形態について、図面を参照しながら説明する。
【００１０】
図１は、本実施形態の一例として、電力計測機能付き分電盤１の全体図を示す。本実施形態の電力計測機能付き分電盤１は、例えば住宅や店舗に設置されるものであり、図１に示すように、主ブレーカ２、分岐ブレーカ３および通信ユニット４が、分電盤のカバー５１の窓から操作可能に収容されている。
【００１１】
図２および図３は、分電盤のボックス５０に収容される主ブレーカ２、分岐ブレーカ３、計測装置４、分岐ブレーカ３から負荷回路に流れる電流を検出する電流検出部６、電流検出部６が接続される接続ユニット７、接続ユニット７と計測装置４とを接続する接続線８、を有する内器の正視図と斜視図である。
【００１２】
主ブレーカ２は単相三線の商用電源が入力される１次側端子と、３本の導電バーと接続される電線にそれぞれ接続する２次側端子を有し、図示しないねじ等の固定手段によってボックス５０内に取付けられる。
【００１３】
分岐ブレーカ３は、過電流引き外し機能（図示せず）を備え、図示しないねじ等の固定手段により、分電盤のボックス５０の長手方向に沿って互いに接近して併設されているとともに、ボックス５０の短手方向（図２の上下方向）に上段および下段の２段に取り付けられている。また、上段側および下段側ブレーカ３間の空間には、主ブレーカ２の２次側端子に接続された３本の電線にそれぞれ接続された３本の導電バーが配設され、分岐ブレーカ３は３本の導電バーから選択される２本に接続され負荷へ１００Ｖ又は２００Ｖの電源を供給する。上段側の分岐ブレーカ３および下段側の分岐ブレーカ３は、互いに反対側を向くように配設されている。
【００１４】
計測装置４は、図示しないねじ等の固定手段により、ボックス５０に取り付けられ、ボックス５０の片隅に配設されている。計測装置４の動作電源は、主ブレーカ２、分岐ブレーカ３、または導電バーのいずれかから供給される。また、計測装置４は一対の入力端子４ｉ、４ｉを有し、この入力端子４ｉを介して各分岐ブレーカ３の電力情報を取得する。通信部４１は、入力端子４ｉを介して受け取った電流信号から演算した電力情報を、無線または有線で外部の通信機器、たとえば電力管理を行うホームゲートウェイやパソコンに送信する。送信する電力情報は、演算した情報をそのまま転送してもよいし、任意の処理を施してから送信してもよい。
【００１５】
ケース５は、樹脂、またはアルミ、真鍮、鉄、ステンレス等の板状の金属で構成されているボックス５０、カバー５１およびドア５２からなる。ボックス５０は、上下の長手方向に設けられる端壁５ａ、５ａ、左右の短手方向に設けられる側壁５ｂ、５ｂ、背面側に設けられる背面板５ｃ、前面側に複数の窓が設けられたカバー５１が取り付けられ、外形が略直方体の箱型に形成されて構成され、主ブレーカ２、複数の分岐ブレーカ３および計測装置４など内器が収容されている。さらにボックス５０には、図２のように、上段の分岐ブレーカ３より上側および下段の分岐ブレーカ３より下側に、接続ユニット７を取り付ける空間を設けている。具体的には、背面板５ｃには、上段の分岐ブレーカ３より上側および下段の分岐ブレーカ３より下側に、分岐ブレーカに接続される二次側配線が通過する開口部５ｄが設けられている。また、この開口部５ｄと端壁５ａとの間に接続ユニット７が設けられている。
【００１６】
センサ６は、たとえば分岐ブレーカ３の二次側電線に取り付けられるCT（Current Transfer）センサが考えられる。CTセンサは、各分岐ブレーカ３に接続される一対の電線のうちの決められた一方の電線が挿通される挿通孔を有する環状のケースを備え、ケース内に図示しないCT検出コイルが収容される。電線に負荷電流が流れると、負荷電流に応じた検出信号がCTの検出コイルに誘起され、この検出信号は、検出コイルに接続されたリード線を通じ、リード線の先端に接続されている出力端子６оを介して接続ユニット７に出力する。
【００１７】
接続ユニット７は、ボックス５０を正面から見たときに、開口部５ｃよりも端壁５ａ側に配設されている。また、接続ユニット７は、前面側に入力部７ｉ、前面側に直交する面に出力部７оが設けられており、入力部７ｉを介してセンサ６が検出した電流に相当する電流信号を取得し、出力部７оを介して計測装置４に出力する。図３のように、入力部７ｉは、センサ６の出力端子６оが脱着可能に構成され、分岐ブレーカ３が併設される方向に、分岐ブレーカ３の最大併設数と同数が設けられている。このように、接続ユニット７を端壁側に配設し、背面板５ｃの開口部５ｄが分岐ブレーカ３と接続ユニット７との間に設けられるようにしたので分岐ブレーカ３の二次側配線とセンサ６の出力線および出力端子６оとを分離配置することができ、これらが接触することを防止できる。
【００１８】
また、接続ユニット７は、図４に示すように、カバー７ａの内部に基板７ｂを有し、基板７ｂに実装された入力部７ｉおよび出力部７оを備えている。基板７ｂは、接続ユニット７の内部形状に合わせて長方形に形成されており、一方の長辺に沿って複数の入力部７ｉが実装され、一方の短辺に出力部７оが実装されている。基板には、両面にプリント配線が施された両面プリント配線基板を用いてもよいし、片面プリント配線基板を用いてもよい。
【００１９】
また、図４のように、長手方向の両端に出力部７оを設けることで、図２の上下段どちらの設置空間にも設置できるよう構成してもよい。全ての分岐回路の電力情報が必要でない場合、計測したい分岐回路のみにセンサ６を取付け、対応する入力部７ｉ、すなわち距離が最も近い入力部７ｉに接続すれば良いため、センサ６のリード線は短く、かつ同じ長さのもので良い。
【００２０】
接続線８は、複数の信号線で構成されており、接続ユニット７から出力された分岐ブレーカ３に流れる電力情報を計測装置４に伝送する。接続線８の両端には、入力端子８ｉおよび出力端子８оが設けられており、接続線８は、入力端子８ｉと出力部７оとが接続することで接続ユニット７と接続し、出力端子８оと入力端子４ｉとが接続することで計測装置４とоｉ接続される。また、接続線８が接続ユニット７および計測装置４と接続された後、接続線８の前面側から接続線８を覆うように樹脂製の保護ケース８ｃが取り付けられて、接続線が前面側に突出することを防止している。なお、接続線８は複数の信号線で構成されているが、入力端子８ｉおよび出力端子８оが、例えばコネクタ等の１つの端子として構成されており、ｉо接続線の入出力端はそれぞれ一つに集合され、配線接続工事が簡易になる。接続線８は、それぞれ入力部７ｉに対応し、入力部７ｉと同数の信号線から構成されてもよいし、その他の電源線または信号線を含んでもよい。また、接続線８は、接続ユニット７と分離可能とせず、一体に備えていてもよい。
【００２１】
また、接続線８の両端端子（８ｉ、８о）をそれぞれ接続ユニット７の出力部７о、計測装置４の入力端子４ｉに接続すれば、センサ６の増減によって接続線の追加作業等の変更調整をする必要がない。また、樹脂製の保護ケース８ｃを装着し接続線８を覆い、高低圧配線間の接触を防ぐことができる。
【００２２】
なお、計測装置４では電流と電圧に基づいて電力を演算するため、１００Ｖ用および２００Ｖ用の分岐ブレーカ３が混在する場合、センサ６からの検知信号が２００Ｖ用または１００Ｖ用のいずれかに対応させる必要がある。そこで、例えば図４の接続ユニット７が接続される計測装置４のコネクタにおいて、左から１番目と２番目の特定の端子を２００Ｖ用、他の端子を１００Ｖ用と予め決めておく。左の３番目から１２番目までは１００Ｖ用の分岐ブレーカ３を設置し、左から１番目と２番目に２００Ｖ用の分岐ブレーカ３を設置する。これにより、２００Ｖ用の分岐ブレーカ３に対応してセンサ６で検出した検出信号を接続ユニット７および接続線８を通じて計測装置４に伝送し、計測装置４にて電力を正確に測定することができる。
【００２３】
（実施形態の効果）
【００２４】
本実施形態によれば、接続ユニットを負荷回路の電線の外側に配置することで、電流検出部の接続線を引回さず、計測装置に電流検出情報を伝送できる。また、接続ユニットに複数のセンサを接続し、接続ユニットから一つに集約した入出力端子を有する接続線を計測装置に接続するため、最大分岐ブレーカの数と同数のセンサを１つずつ計測装置に接続する場合に比べて、配線構造を簡素化できる。また、接続ユニットから計測装置の間の接続線は、接続ユニットの入力部にそれぞれ対応する信号線を含み、両端でそれぞれ一つの接続端子に集約されるため、誤配線が低減できる。しかも、配線を完了した接続ユニットを挿入配置するだけでよく、配線作業をより容易にできる。さらに、接続線は、保護ケースで覆い、高圧配線および低圧配線間の接触を防ぐこともできる。
【符号の説明】
【００２５】
１…分電盤
３…分岐ブレーカ
４…計測装置
６…センサ
６о…出力端子
７…接続ユニット
７ｉ…入力部
８…接続線
８ｃ…保護ケース
【図２】
2016082737.tif 000003
【図３】
2016082737.tif 000004
【図４】
2016082737.tif 000005
【図１】
2016082737.tif 000006